(57)【要約】 【課題】簡単な構造で確実に球の流出を制止することができるパチンコ機の球流出規制機構を提供する。【解決手段】球流出規制機構を、球計数払出装置３に球を供給する球通路部材１と、球通路部材１に装着される球偏向用部材２とにより構成する。球通路部材１は、上流側球通路１１と、上流側球通路１１を流下した球が突き当たる球止め部１３と、上流側球通路１１から分岐する下流側球通路１４を備えている。球止め部１３の一側にスリットを設けたうえに、球偏向用部材２には、前記スリットに差し込まれて、球を下流側球通路１４に偏向させる球偏向用片２２を設けた。当該球流出規制機構は、球整列レールと球通路部材１との間に設けることもできる。【選択図】図８
2007151918.tif 000002
【特許請求の範囲】
【請求項１】
球計数払出装置に球を供給する球通路部材と、この球通路部材に装着されて球の流下方向を偏向させる球偏向用部材とからなるパチンコ機の球流出規制機構であって、
球通路部材は、上流側球通路と、上流側球通路を流下した球が突き当たる球止め部と、上流側球通路から分岐する下流側球通路を備えており、
前記球止め部の一側にスリットを設けたうえに、
球偏向用部材には、前記スリットに差し込まれて、球止め部に向けて流下する球を下流側球通路に偏向させる球偏向用片を設けたことを特徴とするパチンコ機の球流出規制機構。
【請求項２】
球偏向用片に、球止め部に向けて流下する球を下流側球通路に偏向させるための凹状の湾曲部を設けたことを特徴とする請求項１に記載のパチンコ機の球流出規制機構。
【請求項３】
球止め部と下流側球通路との間に、球止め部に収容された球の下流側球通路への移動を可能とする隆起を設けたことを特徴とする請求項１又は２に記載のパチンコ機の球流出規制機構。
【請求項４】
球偏向用部材を、球計数払出装置と一体に成形したことを特徴とする請求項１〜３の何れかに記載のパチンコ機の球流出規制機構。
【請求項５】
球通路部材に球を送出する球整列レールと、この球整列レールの一端に装着されて球の流下方向を偏向させる球偏向用部材とからなるパチンコ機の球流出規制機構であって、
球整列レールは、一端にレール側上流球通路と、レール側上流球通路を流下した球が突き当たる球止め部と、レール側上流球通路から分岐するレール側下流球通路を備えており、
前記球止め部の一側にスリットを設けたうえに、
球偏向用部材には、前記スリットに差し込まれて、球止め部に向けて流下する球をレール側下流球通路に偏向させる球偏向用片を設けたことを特徴とするパチンコ機の球流出規制機構。
【請求項６】
球偏向用片に、球止め部に向けて流下する球をレール側下流球通路に偏向させるための凹状の湾曲部を設けたことを特徴とする請求項５に記載のパチンコ機の球流出規制機構。
【請求項７】
球止め部とレール側下流球通路との間に、球止め部に収容された球のレール側下流球通路への移動を可能とする隆起を設けたことを特徴とする請求項５又は６に記載のパチンコ機の球流出規制機構。
【請求項８】
球偏向用部材を、球通路部材と一体に成形したことを特徴とする請求項５〜７の何れかに記載のパチンコ機の球流出規制機構。
【発明の詳細な説明】
【技術分野】
【０００１】
本発明は、パチンコ機の球通路における球流出規制機構の改良に関するものである。
【背景技術】
【０００２】
通常パチンコ機の裏側には、賞球を貯留する球タンクと、球タンクから受け入れた球を整列する球整列レールと、球整列レールから球を受け入れて球計数払出装置に供給する球通路部材と、球計数払出装置とが配設されている。球が所定の入賞領域に入賞すると、球タンク内の球は、球整列レールと球通路部材内の球通路とを通って球計数払出装置に送り込まれる。球計数払出装置は球の入賞に対応して賞球を払い出す。この球計数払出装置は通常は球詰まりなどの不具合が発生したときに取り外し可能な構造となっているが、球計数払出装置を取り外したときに球通路内の球が落ちこぼれるのを防止するために、球流出規制機構が必要となる。また、球通路部材を球整列レールから取り外したときにも球整列レールから球が落ちこぼれるのを防止するための球流出規制機構が必要となる。
【０００３】
このような球流出規制機構として、例えば特許文献１、２に開示されたものがある。特許文献１には、球払出装置を取り外したときに弾性変形による復元力により球通路に臨む球止め部材が記載されているが、球止め部材に大きな力がかかった場合や復元力が弱くなった場合に、球停止が確実に行えるかどうか不安がある。特許文献２には、規制板部が球通路と交差する方向に移動して、球の通過と停止を行うことができる貯留球通出規制部材が記載されているが、貯留球通出規制部材の構造が複雑であって製作しにくいという欠点がある。
【特許文献１】特開平１０−３２８３７９号公報  (図４)
【特許文献２】特開２００２−１４３４７９号公報  (図４)
【発明の開示】
【発明が解決しようとする課題】
【０００４】
本発明は、上記した従来の問題点に鑑み、構造が簡単であってしかも確実に球の流出を制止することができるパチンコ機の球流出規制機構を提供することを課題とする。
【課題を解決するための手段】
【０００５】
上記の課題を解決するためになされた本発明のパチンコ機の球流出規制機構は、
球計数払出装置に球を供給する球通路部材と、この球通路部材に装着されて球の流下方向を偏向させる球偏向用部材とからなるパチンコ機の球流出規制機構であって、
球通路部材は、上流側球通路と、上流側球通路内を流下した球が突き当たる球止め部と、上流側球通路から分岐する下流側球通路を備えており、
前記球止め部の一側にスリットを設けたうえに、
球偏向用部材には、前記スリットに差し込まれて、球止め部に向けて流下する球を下流側球通路に偏向させる球偏向用片を設けたことを特徴とするものである。
【０００６】
上記した発明において、球偏向用片に、球止め部に向けて流下する球を下流側球通路に偏向させるための凹状の湾曲部を設けることができ、
球止め部と下流側球通路との間に、球止め部に収容された球の下流側球通路への移動を可能とする隆起を設けることができ、
また、球偏向用部材を、球計数払出装置と一体に成形することができる。
【０００７】
また、本発明のパチンコ機の球流出規制機構は、
球通路部材に球を送出する球整列レールと、この球整列レールの一端に装着されて球の流下方向を偏向させる球偏向用部材とからなるパチンコ機の球流出規制機構であって、
球整列レールは、一端にレール側上流球通路と、レール側上流球通路を流下した球が突き当たる球止め部と、レール側上流球通路から分岐するレール側下流球通路を備えており、
前記球止め部の一側にスリットを設けたうえに、
球偏向用部材には、前記スリットに差し込まれて、球止め部に向けて流下する球をレール側下流球通路に偏向させる球偏向用片を設けたことを特徴とするものである。
【０００８】
上記した発明において、球偏向用片に、球止め部に向けて流下する球をレール側下流球通路に偏向させるための凹状の湾曲部を設けることができ、
球止め部とレール側下流球通路との間に、球止め部に収容された球のレール側下流球通路への移動を可能とする隆起を設けることができ、
球偏向用部材を、球通路部材と一体に成形することができる。
【発明の効果】
【０００９】
請求項１に係る発明は、球偏向用片をスリットに差し込むことによって、球止め部に向けて流下する球を下流側球通路に偏向させることができる。一方、球偏向用片をスリットから抜き去ったときには、球は球止め部に突き当たってせき止められるので、球が下流側球通路を通って外部へ流出するのを規制することができる。
請求項２に係る発明は、簡単な構造で球計数払出装置への球の通過と流出規制とを切り替えることができる。
請求項３に係る発明は、球止め部に収容された球を球偏向用片で押圧して隆起を乗り越えさせることによって、この球を下流側球通路に流入させることができる。
請求項４に係る発明は、球計数払出装置を着脱することによって球偏向用片をスリットに着脱することができるので、一つの動作で球の通過と流出規制とを切り替えることができる。また、当該発明は部品点数を削減することができる。
請求項５に係る発明は、球偏向用片をスリットに差し込むことによって、球止め部に向けて流下する球をレール側下流球通路に偏向させることができる。一方、球偏向用片をスリットから抜き去ったときには、球は球止め部に突き当たってせき止められるので、球がレール側下流球通路を通って外部へ流出するのを規制することができる。
請求項６に係る発明は、簡単な構造で球通路部材への球の通過と流出規制とを切り替えることができる。
請求項７に係る発明は、球止め部に収容された球を球偏向用片で押圧して隆起を乗り越えさせることによって、この球をレール側下流球通路に流入させることができる。
請求項８に係る発明は、球通路部材を着脱することによって球偏向用片をスリットに着脱することができるので、一つの動作で球の通過と規制とを切り替えることができる。また、当該発明は部品点数を削減することができる。
【発明を実施するための最良の形態】
【００１０】
以下に本発明の実施形態を図面に基づき説明する。
図１、２は球通路部材１を示す図、図３、４は本発明に係る球偏向用部材２を備えた球計数払出装置３を示す図である。
球通路部材１は、その内部に上流側球通路１１（本明細書において、上流側球通路とは球通路部材１における上流側球通路１１をいう）が設けられており、上端開口１２は球タンク（図示していない）から送り込まれる球を整列するタンクレール(図示していない)に接続されている。
【００１１】
上流側球通路１１の下端には、上流側球通路１１を流下した球が突き当たる球止め部１３が設けられている。即ち、当該球止め部１３は上流側球通路１１の途上に設けられている。そして、上流側球通路１１から分岐して下流側球通路１４（本明細書において、下流側球通路とは球通路部材１における下流側球通路１４をいう）が設けられている。この下流側球通路１４は上流側球通路１１と交差する方向に連通して設けられている。また、球止め部１３と下流側球通路１４との間には、球止め部１３に収容された球が下流側球通路１４へ落ちこぼれるのを阻止するための隆起１５が設けられている。球止め部１３に収容された球は、後述する球偏向用片により下流側球通路１４の方向に押圧されたときに、この隆起１５を乗り越えて下流側球通路１４へと移動することができる。そして、球止め部１３の一側には、垂直方向にスリット１６が設けられている。
【００１２】
球計数払出装置３には球偏向用部材２が一体成形により突設されている。球偏向用部材２は、背板２１と、背板２１に直交して立設された球偏向用片２２とを有し、球偏向用片２２には下流側球通路１４に向けて凹状に湾曲する湾曲部２３が設けられている。この球偏向用片２２は、スリット１６に差し込まれて、球止め部１３に向けて流下する球を下流側球通路１４に偏向させることができる。なお、球偏向用部材２を球計数払出装置３と別体に製作しても差し支えはない。
【００１３】
図５〜７は、球通路部材１と球計数払出装置３とが接続された状態を示す図である。この状態において、球偏向用部材２の背板２１が球止め部１３の一側に当接されていて、球偏向用片２２は前記スリット１６に差し込まれている。湾曲部２３は、球止め部１３の上方に位置しているので、上流側球通路１１を流下した球は、湾曲部２３にて方向変換されて下流側球通路１４に流入することとなる。
【００１４】
下流側球通路１４に流入した球は球計数払出装置３内の球通路３１に流れ込む。球計数払出装置３は、ロータ３２の外周凹部３３に球を受けいれて一球ずつ球を払い出す。球計数センサー３４はロータ３２の払い出した球の数を計数し、入賞球に対応する所要数の球をロータ３２によって払い出すことができる。
なお、本実施形態において、それぞれの球通路１１、１４、３１は２本設けられており、球偏向用片２２、ロータ３２等もこれに対応して設けられている。実施形態はこれに限定されるものではなく、球通路１１、１４、３１が１本又は３本以上とすることができる。この場合球偏向用片２２、ロータ３２等もこれに対応して設けられる。
【００１５】
以上のように構成されたものにおいて、球詰まりや修理などで球計数払出装置３を球通路部材１から取り外した場合には、図８に示すように、球偏向用部材２も同時に取り外されるので、いちいち球偏向用部材２のみを取り外す必要はない。当該操作により球偏向用片２２は球止め部１３の上部から球止め部１３の外部に退却されるので、球偏向作用が解除されて、球は球止め部１３に突き当たることとなる。球止め部１３に受け止められた球は、隆起１５によって移動を阻止され下流側球通路１４の入り口を塞ぐので、後続球は球止め部１３の球に邪魔をされて下流側球通路１４に流入することはできない。よって、球通路部材１からの球の流出を規制することができる。
【００１６】
再び球偏向用片２２をスリット１６に差し込むことによって、球偏向用片２２が球止め部１３にある球を下流側球通路１４の方向に押圧する。球は隆起１５を乗り越えて下流側球通路１４に流入されるので、後続球も下流側球通路１４に流入することが可能となって、球の払出しを行うことができる。
【００１７】
図９、１０に別の実施形態の球流出規制機構を示す。図において４は球整列レールであり、球整列レール４の一端にはレール側上流球通路４１が連設され、このレール側上流球通路４１の下端には、レール側上流球通路４１を流下した球が突き当たる球止め部４２が設けられている。即ち、当該球止め部４２はレール側上流球通路４１の途上に設けられている。そして、レール側上流球通路４１から分岐してレール側下流球通路４３が設けられている。このレール側下流球通路４３はレール側上流球通路４１と交差する方向に連通して設けられている。また、球止め部４２とレール側下流球通路４３との間には、球止め部４２に収容された球がレール側下流球通路４３へ落ちこぼれるのを阻止するための隆起４４が設けられている。そして、球止め部４２の一側には、垂直方向にスリットが設けられている(図示していない)。
【００１８】
球通路部材１には球偏向用部材５が一体成形により突設されている。球偏向用部材５は、背板５１と、背板５１に直交して立設された球偏向用片５２とを有し、球偏向用片５２にはレール側下流球通路４３に向けて凹状に湾曲する湾曲部５３が設けられている。この球偏向用片５２は、球止め部４２の一側に設けたスリットに差し込まれるので、図９に示すように球止め部４２に向けて流下する球をレール側下流球通路４３に偏向させることができる。なお、球偏向用部材５は球通路部材１と別体に製作してもよい。
【００１９】
必要が生じて球通路部材１を球整列レール４の一端から取り外した場合には、図１０に示すように、球偏向用部材５も同時に取り外される。この操作により球偏向用片５２は球止め部４２の上方から球止め部４２の外部に退却されるので、球偏向作用が解除されて、球は球止め部４２に突き当たることとなる。球止め部４２に受け止められた球は、隆起４４によって移動を阻止されレール側下流球通路４３の入り口を塞ぐので、後続球は球止め部４２の球に邪魔をされてレール側下流球通路４３に流入することはできない。よって、球整列レール４からの球の流出を規制することができる。
以上のように、本発明の球流出規制機構は、簡単な構造で球整列レール４や球通路部材１からの球の流出を確実に規制することができるという大きな利点がある。
【図面の簡単な説明】
【００２０】
【図１】球通路部材の正面図である。
【図２】球通路部材の側面図である。
【図３】球偏向用部材と球計数払出装置の正面図である。
【図４】球偏向用部材と球計数払出装置の側面図である。
【図５】球偏向用部材を備えた球計数払出装置が、球通路部材に接続された状態を示す正面図である。
【図６】図５の断面図である。
【図７】図５の側面図である。
【図８】球偏向用部材を備えた球計数払出装置を、球通路部材から取り外した状態を示す正面の断面図である。
【図９】球偏向用部材を備えた球通路部材が、球整列レールに接続された状態を示す正面図である。
【図１０】球偏向用部材を備えた球通路部材を、球整列レールから取り外した状態を示す正面図である。
【符号の説明】
【００２１】
１  球通路部材、２  球偏向用部材、３  球計数払出装置、４  球整列レール、５  球偏向用部材、１１  上流側球通路、１３  球止め部、１４  下流側球通路、１６  スリット、２２  球偏向用片、４１  レール側上流球通路、４２  球止め部、４３  レール側下流球通路、５２  球偏向用片
【図１】
2007151918.tif 000003
【図２】
2007151918.tif 000004
【図３】
2007151918.tif 000005
【図４】
2007151918.tif 000006
【図５】
2007151918.tif 000007
【図６】
2007151918.tif 000008
【図７】
2007151918.tif 000009
【図８】
2007151918.tif 000010
【図９】
2007151918.tif 000011
【図１０】
2007151918.tif 000012